(57)【特許請求の範囲】
【請求項１】
少なくとも２つの送信対象データパケットに対して多元接続を実行するのに用いられる少なくとも２つのシグネチャシーケンスをユーザ機器が取得する段階と、
前記少なくとも２つの送信対象データパケットを、対応するシグネチャシーケンスをそれぞれ用いて前記ユーザ機器が処理し、少なくとも２つの伝送シーケンスを取得する段階と、
前記少なくとも２つの伝送シーケンスを同じ時間−周波数リソースでネットワークデバイスに前記ユーザ機器が送信する段階と
を備え、
前記少なくとも２つの伝送シーケンスを送信するために前記ユーザ機器により用いられる前記少なくとも２つのシグネチャシーケンスは、前記ユーザ機器から前記ネットワークデバイスに送信されるパイロットもしくは制御情報により示される、または前記ネットワークデバイスから前記ユーザ機器に送信されるスケジューリング確認応答メッセージにより示される
データ伝送方法。
【請求項２】
少なくとも２つの送信対象データパケットに対して多元接続を実行するのに用いられる少なくとも２つのシグネチャシーケンスをユーザ機器が前記取得する段階は、前記少なくとも２つの送信対象データパケットのために用いられるシグネチャシーケンスを、利用可能なシグネチャシーケンスから前記ユーザ機器が選択する段階を有する、請求項１に記載のデータ伝送方法。
【請求項３】
前記データ伝送方法はさらに、
前記ユーザ機器がパイロットを前記ネットワークデバイスに送信する段階を備え、前記パイロットに関する情報が、前記少なくとも２つの送信対象データパケットに対する多元接続を実行するために前記ユーザ機器により用いられる前記少なくとも２つのシグネチャシーケンスを示すのに用いられる、請求項２に記載のデータ伝送方法。
【請求項４】
前記データ伝送方法はさらに、
前記少なくとも２つのシグネチャシーケンスを示すのに用いられる制御情報を、前記ユーザ機器が制御チャネルを介して前記ネットワークデバイスに送信する段階を備え、請求項２に記載のデータ伝送方法。
【請求項５】
少なくとも２つの送信対象データパケットに対して多元接続を実行するのに用いられる少なくとも２つのシグネチャシーケンスをユーザ機器が前記取得する段階は、
前記ユーザ機器がスケジューリング情報を前記ネットワークデバイスに送信する段階であって、前記スケジューリング情報は、前記ユーザ機器がデータをアップロードする必要があることを示すのと、前記ユーザ機器により送信されるデータ量を示すのとに用いられる、段階と、
前記ネットワークデバイスにより返信されるスケジューリング確認応答メッセージを前記ユーザ機器が受信する段階と、
前記スケジューリング確認応答メッセージに基づいて、前記少なくとも２つのシグネチャシーケンスを前記ユーザ機器が決定する段階と
を有する、請求項１に記載のデータ伝送方法。
【請求項６】
前記少なくとも２つの送信対象データパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項１から５のいずれか一項に記載のデータ伝送方法。
【請求項７】
ユーザ機器により送信される少なくとも２つの伝送シーケンスをネットワークデバイスが受信する段階と、
前記少なくとも２つの伝送シーケンスを送信するために前記ユーザ機器により用いられる少なくとも２つのシグネチャシーケンスを前記ネットワークデバイスが取得する段階と、
各シグネチャシーケンスに基づいて、対応する伝送シーケンスを前記ネットワークデバイスが別々に検出し、少なくとも２つのデータパケットを取得する段階と
を備え、
前記少なくとも２つの伝送シーケンスを送信するために前記ユーザ機器により用いられる前記少なくとも２つのシグネチャシーケンスは、前記ユーザ機器から前記ネットワークデバイスに送信されるパイロットもしくは制御情報により示される、または前記ネットワークデバイスから前記ユーザ機器に送信されるスケジューリング確認応答メッセージにより示される
データ伝送方法。
【請求項８】
前記少なくとも２つの伝送シーケンスを送信するために前記ユーザ機器により用いられる少なくとも２つのシグネチャシーケンスを前記ネットワークデバイスが前記取得する段階は、
前記ユーザ機器により送信されるパイロットを前記ネットワークデバイスが受信し、前記パイロットに基づいて、前記少なくとも２つのシグネチャシーケンスを取得する段階を有し、前記パイロットに関する情報が、前記少なくとも２つの伝送シーケンスを送信するために前記ユーザ機器により用いられる前記少なくとも２つのシグネチャシーケンスを示すのに用いられる、請求項７に記載のデータ伝送方法。
【請求項９】
前記少なくとも２つの伝送シーケンスを送信するために前記ユーザ機器により用いられる少なくとも２つのシグネチャシーケンスを前記ネットワークデバイスが前記取得する段階は、
制御チャネルを介して前記ユーザ機器により送信され、且つ前記少なくとも２つのシグネチャシーケンスを示すのに用いられる制御情報を前記ネットワークデバイスが受信し、前記制御情報に基づいて前記少なくとも２つのシグネチャシーケンスを取得する段階を有する、請求項７に記載のデータ伝送方法。
【請求項１０】
ユーザ機器により送信される少なくとも２つの伝送シーケンスをネットワークデバイスが前記受信する段階の前に、前記データ伝送方法はさらに、
前記ユーザ機器により送信されるスケジューリング情報を前記ネットワークデバイスが受信する段階であって、前記スケジューリング情報は、前記ユーザ機器がデータをアップロードする必要があることを示すのと、前記ユーザ機器により送信されるデータ量を示すのとに用いられる、段階と、
前記スケジューリング情報に基づいて、前記ネットワークデバイスが前記ユーザ機器用の帯域幅をスケジューリングし、前記データ量で示されるデータパケットのために用いられるシグネチャシーケンスを、利用可能なシグネチャシーケンスから選択する段階と、
前記ネットワークデバイスがスケジューリング確認応答メッセージを前記ユーザ機器に返信する段階であって、前記スケジューリング確認応答メッセージは、前記少なくとも２つのシグネチャシーケンスを示すのに用いられる、段階と
を備える、請求項７に記載のデータ伝送方法。
【請求項１１】
前記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項７から１０のいずれか一項に記載のデータ伝送方法。
【請求項１２】
データ伝送装置であって、前記データ伝送装置は、
少なくとも２つの送信対象データパケットに対して多元接続を実行するのに用いられる少なくとも２つのシグネチャシーケンスを取得するように構成された処理モジュールであって、前記処理モジュールはさらに、前記少なくとも２つの送信対象データパケットを、対応するシグネチャシーケンスをそれぞれ用いて処理し、少なくとも２つの伝送シーケンスを取得するように構成される、処理モジュールと、
前記少なくとも２つの伝送シーケンスを同じ時間−周波数リソースでネットワークデバイスに送信するように構成された送信モジュールと
を備え、
前記少なくとも２つの伝送シーケンスを送信するために前記データ伝送装置により用いられる前記少なくとも２つのシグネチャシーケンスは、前記データ伝送装置から前記ネットワークデバイスに送信されるパイロットもしくは制御情報により示される、または前記ネットワークデバイスから前記データ伝送装置に送信されるスケジューリング確認応答メッセージにより示される
データ伝送装置。
【請求項１３】
前記処理モジュールは、前記少なくとも２つの送信対象データパケットのために用いられるシグネチャシーケンスを、利用可能なシグネチャシーケンスから選択するように構成される、請求項１２に記載のデータ伝送装置。
【請求項１４】
前記送信モジュールはさらに、パイロットを前記ネットワークデバイスに送信するように構成され、前記パイロットに関する情報が、前記少なくとも２つの送信対象データパケットに対して多元接続を実行するために前記データ伝送装置により用いられる前記少なくとも２つのシグネチャシーケンスを示すのに用いられる、請求項１３に記載のデータ伝送装置。
【請求項１５】
前記送信モジュールはさらに、前記少なくとも２つのシグネチャシーケンスを示すのに用いられる制御情報を、制御チャネルを介して前記ネットワークデバイスに送信するように構成される、請求項１２に記載のデータ伝送装置。
【請求項１６】
前記データ伝送装置はさらに受信モジュールを備え、
前記送信モジュールは、スケジューリング情報を前記ネットワークデバイスに送信するように構成され、前記スケジューリング情報は、前記データ伝送装置がデータをアップロードする必要があることを示すのと、前記データ伝送装置により送信されるデータ量を示すのとに用いられ、
前記受信モジュールは、前記ネットワークデバイスにより返信されるスケジューリング確認応答メッセージを受信するように構成され、
前記処理モジュールは、前記スケジューリング確認応答メッセージに基づいて、前記少なくとも２つのシグネチャシーケンスを決定するように構成される、請求項１２に記載のデータ伝送装置。
【請求項１７】
前記少なくとも２つの送信対象データパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項１２から１６のいずれか一項に記載のデータ伝送装置。
【請求項１８】
データ伝送装置であって、前記データ伝送装置は、
ユーザ機器により送信される少なくとも２つの伝送シーケンスを受信するように構成された受信モジュールと、
前記少なくとも２つの伝送シーケンスを送信するために前記ユーザ機器により用いられる少なくとも２つのシグネチャシーケンスを取得するように構成された処理モジュールであって、前記処理モジュールはさらに、各シグネチャシーケンスに基づいて、対応する伝送シーケンスを別々に検出し、少なくとも２つのデータパケットを取得するように構成される、処理モジュールと
を備え、
前記少なくとも２つの伝送シーケンスを送信するために前記ユーザ機器により用いられる前記少なくとも２つのシグネチャシーケンスは、前記ユーザ機器から前記データ伝送装置に送信されるパイロットもしくは制御情報により示される、または前記データ伝送装置から前記ユーザ機器に送信されるスケジューリング確認応答メッセージにより示される
データ伝送装置。
【請求項１９】
前記受信モジュールはさらに、前記ユーザ機器により送信されるパイロットを受信するように構成され、
前記処理モジュールはさらに、前記パイロットに基づいて、前記少なくとも２つのシグネチャシーケンスを取得するように構成され、前記パイロットに関する情報が、前記少なくとも２つの伝送シーケンスを送信するために前記ユーザ機器により用いられる前記少なくとも２つのシグネチャシーケンスを示すのに用いられる、請求項１８に記載のデータ伝送装置。
【請求項２０】
前記受信モジュールはさらに、制御チャネルを介して前記ユーザ機器により送信され、且つ前記少なくとも２つのシグネチャシーケンスを示すのに用いられる制御情報を受信するように構成され、
前記処理モジュールはさらに、前記制御情報に基づいて前記少なくとも２つのシグネチャシーケンスを取得するように構成される、請求項１８に記載のデータ伝送装置。
【請求項２１】
前記データ伝送装置はさらに送信モジュールを備え、
前記受信モジュールはさらに、前記ユーザ機器により送信されるスケジューリング情報を受信するように構成され、前記スケジューリング情報は、前記ユーザ機器がデータをアップロードする必要があることを示すのと、前記ユーザ機器により送信されるデータ量を示すのとに用いられ、
前記処理モジュールはさらに、前記スケジューリング情報に基づいて、前記ユーザ機器用の帯域幅をスケジューリングし、前記データ量で示されるデータパケットのために用いられるシグネチャシーケンスを、利用可能なシグネチャシーケンスから選択するように構成され、
前記送信モジュールは、スケジューリング確認応答メッセージを前記ユーザ機器に返信するように構成され、前記スケジューリング確認応答メッセージは、前記少なくとも２つのシグネチャシーケンスを示すのに用いられる、請求項１８に記載のデータ伝送装置。
【請求項２２】
前記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項１８から２１のいずれか一項に記載のデータ伝送装置。
【請求項２３】
ユーザ機器であって、前記ユーザ機器は、
少なくとも２つの送信対象データパケットに対して多元接続を実行するのに用いられる少なくとも２つのシグネチャシーケンスを取得し、前記少なくとも２つの送信対象データパケットを、対応するシグネチャシーケンスをそれぞれ用いて処理し、少なくとも２つの伝送シーケンスを取得するように構成されたプロセッサと、
前記少なくとも２つの伝送シーケンスを同じ時間−周波数リソースでネットワークデバイスに送信するように構成された送信機と
を備え、
前記少なくとも２つの伝送シーケンスを送信するために前記ユーザ機器により用いられる前記少なくとも２つのシグネチャシーケンスは、前記ユーザ機器から前記ネットワークデバイスに送信されるパイロットもしくは制御情報により示される、または前記ネットワークデバイスから前記ユーザ機器に送信されるスケジューリング確認応答メッセージにより示される
ユーザ機器。
【請求項２４】
前記プロセッサは、前記少なくとも２つの送信対象データパケットのために用いられるシグネチャシーケンスを、利用可能なシグネチャシーケンスから選択するように構成される、請求項２３に記載のユーザ機器。
【請求項２５】
前記送信機はさらに、パイロットを前記ネットワークデバイスに送信するように構成され、前記パイロットに関する情報が、前記少なくとも２つの送信対象データパケットに対して多元接続を実行するために前記ユーザ機器により用いられる前記少なくとも２つのシグネチャシーケンスを示すのに用いられる、請求項２４に記載のユーザ機器。
【請求項２６】
前記送信機はさらに、前記少なくとも２つのシグネチャシーケンスを示すのに用いられる制御情報を、制御チャネルを介して前記ネットワークデバイスに送信するように構成される、請求項２４に記載のユーザ機器。
【請求項２７】
前記ユーザ機器はさらに受信機を備え、
前記送信機は、スケジューリング情報を前記ネットワークデバイスに送信するように構成され、前記スケジューリング情報は、前記ユーザ機器がデータをアップロードする必要があることを示すのと、前記ユーザ機器により送信されるデータ量を示すのとに用いられ、
前記受信機は、前記ネットワークデバイスにより返信されるスケジューリング確認応答メッセージを受信するように構成され、
前記プロセッサは、前記スケジューリング確認応答メッセージに基づいて、前記少なくとも２つのシグネチャシーケンスを決定するように構成される、請求項２３に記載のユーザ機器。
【請求項２８】
前記少なくとも２つの送信対象データパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項２３から２７のいずれか一項に記載のユーザ機器。
【請求項２９】
前記ユーザ機器はさらに、前記プロセッサにより実行される実行命令を格納するように構成されたメモリを備える、請求項２３から２７のいずれか一項に記載のユーザ機器。
【請求項３０】
ネットワークデバイスであって、前記ネットワークデバイスは、
ユーザ機器により送信される少なくとも２つの伝送シーケンスを受信するように構成された受信機と、
前記少なくとも２つの伝送シーケンスを送信するために前記ユーザ機器により用いられる少なくとも２つのシグネチャシーケンスを取得し、各シグネチャシーケンスに基づいて、対応する伝送シーケンスを別々に検出し、少なくとも２つのデータパケットを取得するように構成されたプロセッサと
を備え、
前記少なくとも２つの伝送シーケンスを送信するために前記ユーザ機器により用いられる前記少なくとも２つのシグネチャシーケンスは、前記ユーザ機器から前記ネットワークデバイスに送信されるパイロットもしくは制御情報により示される、または前記ネットワークデバイスから前記ユーザ機器に送信されるスケジューリング確認応答メッセージにより示される
ネットワークデバイス。
【請求項３１】
前記受信機はさらに、前記ユーザ機器により送信されるパイロットを受信するように構成され、
前記プロセッサはさらに、前記パイロットに基づいて、前記少なくとも２つのシグネチャシーケンスを取得するように構成され、前記パイロットに関する情報が、前記少なくとも２つの伝送シーケンスを送信するために前記ユーザ機器により用いられる前記少なくとも２つのシグネチャシーケンスを示すのに用いられる、請求項３０に記載のネットワークデバイス。
【請求項３２】
前記受信機はさらに、制御チャネルを介して前記ユーザ機器により送信され、且つ前記少なくとも２つのシグネチャシーケンスを示すのに用いられる制御情報を受信するように構成され、
前記プロセッサはさらに、前記制御情報に基づいて前記少なくとも２つのシグネチャシーケンスを取得するように構成される、請求項３０に記載のネットワークデバイス。
【請求項３３】
前記ネットワークデバイスはさらに送信機を備え、
前記受信機はさらに、前記ユーザ機器により送信されるスケジューリング情報を受信するように構成され、前記スケジューリング情報は、前記ユーザ機器がデータをアップロードする必要があることを示すのと、前記ユーザ機器により送信されるデータ量を示すのとに用いられ、
前記プロセッサはさらに、前記スケジューリング情報に基づいて、前記ユーザ機器用の帯域幅をスケジューリングし、前記データ量で示されるデータパケットのために用いられるシグネチャシーケンスを、利用可能なシグネチャシーケンスから選択するように構成され、
前記送信機は、スケジューリング確認応答メッセージを前記ユーザ機器に返信するように構成され、前記スケジューリング確認応答メッセージは、前記少なくとも２つのシグネチャシーケンスを示すのに用いられる、請求項３０に記載のネットワークデバイス。
【請求項３４】
前記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、請求項３０から３３のいずれか一項に記載のネットワークデバイス。
【請求項３５】
前記ネットワークデバイスはさらに、前記プロセッサにより実行される実行命令を格納するように構成されたメモリを備える、請求項３０から３４のいずれか一項に記載のネットワークデバイス。
【請求項３６】
請求項１から６のいずれか一項に記載のデータ伝送方法をコンピュータに実施させるための、プログラム。
【請求項３７】
請求項７から１１のいずれか一項に記載のデータ伝送方法をコンピュータに実施させるための、プログラム。
【請求項３８】
実行命令を格納するように構成されたメモリと、
前記メモリに格納された前記実行命令を実行して、請求項１から６のいずれか一項に記載のデータ伝送方法を実行するように構成されたプロセッサと
を備えるデータ伝送装置。
【請求項３９】
実行命令を格納するように構成されたメモリと、
前記メモリに格納された前記実行命令を実行して、請求項７から１１のいずれか一項に記載のデータ伝送方法を実行するように構成されたプロセッサと
を備えるデータ伝送装置。
【発明の詳細な説明】
【技術分野】
【０００１】
本願は、２０１７年１月２４日に中国特許庁に出願された「データ伝送方法及びデータ伝送装置（ＤＡＴＡ  ＴＲＡＮＳＭＩＳＳＩＯＮ  ＭＥＴＨＯＤ  ＡＮＤ  ＡＰＰＡＲＡＴＵＳ）」と題する中国特許出願第２０１７１００６０３３２．２号に基づく優先権を主張するものであり、当該特許出願は、その全体が参照により本明細書に組み込まれる。
【０００２】
本願は、通信技術に関するものであり、具体的には、データ伝送方法及びデータ伝送装置に関するものである。
【背景技術】
【０００３】
無線通信の物理層におけるコア技術の１つとして、多元接続により、無線基地局は複数のユーザ機器（Ｕｓｅｒ  Ｅｑｕｉｐｍｅｎｔ、ＵＥ）を区別して、これらのＵＥにサービスを提供し、ＵＥ間の干渉（ｍｕｌｔｉｐｌｅ  ａｃｃｅｓｓ  ｉｎｔｅｒｆｅｒｅｎｃｅ）を低減することが可能になる。通常、簡単な直交多元接続モードが、無線通信システムに用いられる。具体的には、複数のユーザが、異なる次元に直交的に分割（周波数分割、時分割、及び符号分割など）されたリソースを用いてシステムにアクセスする。例えば、ロングタームエボリューション（Ｌｏｎｇ  Ｔｅｒｍ  Ｅｖｏｌｕｔｉｏｎ、ＬＴＥ）システムに用いられる直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）技術が、直交多元接続モードの１つである。
【０００４】
ＬＴＥシステムの場合、ＯＦＤＭＡシステムの設計（例えば、ＵＲＬＬＣサービス）では、システムの時間−周波数リソース全体がいくつかの部分に分割される。これらの部分は、互いに直交する時間−周波数リソース範囲である。アップリンクデータを伝送する必要がある場合、ＯＦＤＭＡのユーザ機器は、スケジューリング、半永続的スケジューリング、又はグラントフリー伝送などの方式で、対応する時間−周波数リソース部分をデータパケットごとに選択して、データ伝送を実行してよい。
【０００５】
しかしながら、ＯＦＤＭＡ伝送の仕組みがデータを伝送するのに用いられる場合、ＯＦＤＭＡ技術では、システムへのアクセスを許可されたユーザの人数が直交リソースの数量に正比例するので、直交リソースの数量は直交性要件によって制限される。したがって、来たる５Ｇ時代の継続的な広域カバレッジ、高容量ホットスポット、同時多数接続、及び低遅延アクセスなどのサービス要件を満たすことができない。
【発明の概要】
【０００６】
本願は、来たる５Ｇ時代の継続的な広域カバレッジ、高容量ホットスポット、同時多数接続、及び低遅延アクセスなどのサービス要件を満たすために、データ伝送方法及びデータ伝送装置を提供する。
【０００７】
本願の第１の態様によれば、データ伝送方法が提供され、本方法は、少なくとも２つの送信対象データパケットに対して多元接続を実行するのに用いられる少なくとも２つのシグネチャシーケンスをユーザ機器が取得する段階と、少なくとも２つのデータパケットを、対応するシグネチャシーケンスをそれぞれ用いてユーザ機器が処理し、少なくとも２つの伝送シーケンスを取得する段階と、少なくとも２つの伝送シーケンスを同じ時間−周波数リソースでネットワークデバイスにユーザ機器が送信する段階とを含む。
【０００８】
この解決手段では、ユーザ機器は、異なるシグネチャシーケンスをそれぞれ用いて、複数のデータパケットに対して多元接続処理を実行して、複数の伝送シーケンスを取得し、複数の伝送シーケンスを同じ時間−周波数リソースでネットワークデバイスに送信する。ネットワークデバイスは、異なるシグネチャシーケンスを用いて受信状態検出を実行し、データパケットを取得してよい。このようにして、時間−周波数リソースの利用率を向上させることができ、パケットキューイング時間が短縮され、伝送効率が向上する。
【０００９】
一実施例では、少なくとも２つの送信対象データパケットに対して多元接続を実行するのに用いられる少なくとも２つのシグネチャシーケンスをユーザ機器が取得する段階は、データパケットと１対１の対応関係を有するシグネチャシーケンスを、利用可能なシグネチャシーケンスからユーザ機器が選択する段階を含む。
【００１０】
別の実施例では、少なくとも２つの送信対象データパケットに対して多元接続を実行するのに用いられる少なくとも２つのシグネチャシーケンスをユーザ機器が取得する段階は、ユーザ機器がスケジューリング情報をネットワークデバイスに送信する段階であって、スケジューリング情報は、ユーザ機器がデータをアップロードする必要があることを示すのと、ユーザ機器により送信されるデータ量を示すのとに用いられる、段階と、ネットワークデバイスにより返信されるスケジューリング確認応答メッセージをユーザ機器が受信する段階と、スケジューリング確認応答メッセージに基づいて、少なくとも２つのシグネチャシーケンスをユーザ機器が決定する段階とを含む。
【００１１】
前述の解決手段では、ユーザ機器により取得され、且つ送信対象データパケットと１対１の対応関係を有するシグネチャシーケンスは、利用可能なシーケンスからユーザ機器により選択されてもよく、又は、ユーザ機器により送信されるデータ量に基づいてネットワークデバイスにより選択され、次いでユーザ機器に通知されてもよい。ネットワークデバイスは、簡単なインジケーションを与えるだけでよく、ユーザ機器は、インジケーションに基づいて、用いられる特定のシグネチャシーケンスを決定してよい。このことは、この解決手段において限定されるものではない。
【００１２】
任意選択的に、本方法はさらに、ユーザ機器がパイロットをネットワークデバイスに送信する段階を含み、パイロットに関する情報が、少なくとも２つのデータパケットに対して多元接続を実行するためにユーザ機器により用いられる少なくとも２つのシグネチャシーケンスを示すのに用いられる。
【００１３】
任意選択的に、本方法はさらに、少なくとも２つのシグネチャシーケンスを示すのに用いられる制御情報を、ユーザ機器が制御チャネルを介してネットワークデバイスに送信する段階を含む。
【００１４】
前述の解決手段では、多元接続用のシグネチャシーケンスを選択した後に、ユーザ機器は、シグネチャシーケンスをネットワークデバイスに通知する必要があり、その結果、ネットワークデバイスは、シグネチャシーケンスを用いて受信状態検出を実行し、データパケットを取得することができる。具体的には、シグネチャシーケンスは、パイロットに関する情報又は制御チャネルを介して伝送される制御情報を用いて、ネットワークデバイスに通知され得る。あるいは、ネットワークデバイスは、別の方式でシグネチャシーケンスを通知されてもよい。このことは、この解決手段において限定されるものではない。
【００１５】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００１６】
前述の解決手段では、同じ時間−周波数リソースでユーザ機器により送信される複数のデータパケットが、全てのデータパケットのうち最初に伝送されるパケットであってもよく、又は一部のデータパケットのうち最初に伝送されるパケット及び他のデータパケットのうち再伝送されるパケットであってもよく、又は全てがこれらのデータパケットのうち再伝送されるパケットであってもよく、各データパケットの再伝送数量が互いに異なってもよい。このことは、本願において限定されるものではない。
【００１７】
本願の第２の態様によれば、データ伝送方法が提供され、本方法は、ユーザ機器により送信される少なくとも２つの伝送シーケンスをネットワークデバイスが受信する段階と、少なくとも２つの伝送シーケンスを送信するためにユーザ機器により用いられる少なくとも２つのシグネチャシーケンスをネットワークデバイスが取得する段階と、各シグネチャシーケンスに基づいて、対応する伝送シーケンスをネットワークデバイスが別々に検出し、少なくとも２つのデータパケットを取得する段階とを含む。
【００１８】
この解決手段では、ユーザ機器により送信される少なくとも２つの伝送シーケンスを受信した後に、ネットワークデバイスは、少なくとも２つの伝送シーケンスを送信するためにユーザ機器により用いられる少なくとも２つのシグネチャシーケンスを取得し、各シグネチャシーケンスに基づいて、対応する伝送シーケンスを別々に検出し、少なくとも２つのデータパケットを取得する。ユーザ機器は、同じスロットの同じ時間−周波数リソースで複数のデータパケットを伝送することができるので、時間−周波数リソースの利用率を向上させ、パケットキューイング時間を短縮し、データ伝送効率を向上させることができる。
【００１９】
一実施例では、少なくとも２つの伝送シーケンスを送信するためにユーザ機器により用いられる少なくとも２つのシグネチャシーケンスをネットワークデバイスが取得する段階は、ユーザ機器により送信されるパイロットをネットワークデバイスが受信し、パイロットに基づいて、少なくとも２つのシグネチャシーケンスを取得する段階を含み、パイロットに関する情報が、少なくとも２つの伝送シーケンスを送信するためにユーザ機器により用いられる少なくとも２つのシグネチャシーケンスを示すのに用いられる。
【００２０】
任意選択的に、少なくとも２つの伝送シーケンスを送信するためにユーザ機器により用いられる少なくとも２つのシグネチャシーケンスをネットワークデバイスが取得する段階は、制御チャネルを介してユーザ機器により送信され、且つ少なくとも２つのシグネチャシーケンスを示すのに用いられる制御情報をネットワークデバイスが受信し、制御情報に基づいて少なくとも２つのシグネチャシーケンスを取得する段階を含む。
【００２１】
任意選択的に、ユーザ機器により送信される少なくとも２つの伝送シーケンスをネットワークデバイスが受信する段階の前に、本方法はさらに、ユーザ機器により送信されるスケジューリング情報をネットワークデバイスが受信する段階であって、スケジューリング情報は、ユーザ機器がデータをアップロードする必要があることを示すのと、ユーザ機器により送信されるデータ量を示すのとに用いられる、段階と、スケジューリング情報に基づいて、ネットワークデバイスがユーザ機器用の帯域幅をスケジューリングし、データ量で示されるデータパケットと１対１の対応関係を有するシグネチャシーケンスを、利用可能なシグネチャシーケンスから選択する段階と、ネットワークデバイスがスケジューリング確認応答メッセージをユーザ機器に返信する段階であって、スケジューリング確認応答メッセージは、少なくとも２つのシグネチャシーケンスを示すのに用いられる、段階とを含む。
【００２２】
前述のいくつかの解決手段から分かることは、多元接続を実行するためにユーザ機器により用いられる複数のシグネチャシーケンスが、ユーザ機器により選択されてもよく、又はユーザ機器のデータ量に基づいてネットワークデバイスにより選択され、ユーザ機器に通知されてもよいということである。このことは、この解決手段において限定されるものではない。
【００２３】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００２４】
この解決手段では、同じ時間−周波数リソースでユーザ機器により送信され、ネットワークデバイスにより受信される複数のデータパケットが、全てのデータパケットのうち最初に伝送されるパケットであってもよく、又は一部のデータパケットのうち最初に伝送されるパケット及び他のデータパケットのうち再伝送されるパケットであってもよく、又は全てがこれらのデータパケットのうち再伝送されるパケットであってもよく、各データパケットの再伝送数量が互いに異なってもよい。このことは、本願において限定されるものではない。
【００２５】
本願の第３の態様によれば、データ伝送装置が提供され、本装置は、少なくとも２つの送信対象データパケットに対して多元接続を実行するのに用いられる少なくとも２つのシグネチャシーケンスを取得するように構成された処理モジュールであって、処理モジュールはさらに、少なくとも２つのデータパケットを、対応するシグネチャシーケンスをそれぞれ用いて処理し、少なくとも２つの伝送シーケンスを取得するように構成される、処理モジュールと、少なくとも２つの伝送シーケンスを同じ時間−周波数リソースでネットワークデバイスに送信するように構成された送信モジュールとを含む。
【００２６】
一実施例では、処理モジュールは具体的に、データパケットと１対１の対応関係を有するシグネチャシーケンスを、利用可能なシグネチャシーケンスから選択するように構成される。
【００２７】
別の実施例では、送信モジュールはさらに、パイロットをネットワークデバイスに送信するように構成され、パイロットに関する情報が、少なくとも２つのデータパケットに対して多元接続を実行するためにユーザ機器により用いられる少なくとも２つのシグネチャシーケンスを示すのに用いられる。
【００２８】
任意選択的に、送信モジュールはさらに、少なくとも２つのシグネチャシーケンスを示すのに用いられる制御情報を、制御チャネルを介してネットワークデバイスに送信するように構成される。
【００２９】
任意選択的に、本装置はさらに受信モジュールを含み、送信モジュールは具体的に、スケジューリング情報をネットワークデバイスに送信するように構成され、スケジューリング情報は、ユーザ機器がデータをアップロードする必要があることを示すのと、ユーザ機器により送信されるデータ量を示すのとに用いられ、受信モジュールは、ネットワークデバイスにより返信されるスケジューリング確認応答メッセージを受信するように構成され、処理モジュールは、スケジューリング確認応答メッセージに基づいて、少なくとも２つのシグネチャシーケンスを決定するように構成される。
【００３０】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００３１】
本願の第４の態様によれば、データ伝送装置が提供され、本装置は、ユーザ機器により送信される少なくとも２つの伝送シーケンスを受信するように構成された受信モジュールと、少なくとも２つの伝送シーケンスを送信するためにユーザ機器により用いられる少なくとも２つのシグネチャシーケンスを取得するように構成された処理モジュールであって、処理モジュールはさらに、各シグネチャシーケンスに基づいて、対応する伝送シーケンスを別々に検出し、少なくとも２つのデータパケットを取得するように構成される、処理モジュールとを含む。
【００３２】
一実施例では、受信モジュールはさらに、ユーザ機器により送信されるパイロットを受信するように構成され、処理モジュールはさらに、パイロットに基づいて、少なくとも２つのシグネチャシーケンスを取得するように構成され、パイロットに関する情報が、少なくとも２つの伝送シーケンスを送信するためにユーザ機器により用いられる少なくとも２つのシグネチャシーケンスを示すのに用いられる。
【００３３】
別の実施例では、受信モジュールはさらに、制御チャネルを介してユーザ機器により送信され、且つ少なくとも２つのシグネチャシーケンスを示すのに用いられる制御情報を受信するように構成され、処理モジュールはさらに、制御情報に基づいて少なくとも２つのシグネチャシーケンスを取得するように構成される。
【００３４】
任意選択的に、本装置はさらに送信モジュールを含み、受信モジュールはさらに、ユーザ機器により送信されるスケジューリング情報を受信するように構成され、スケジューリング情報は、ユーザ機器がデータをアップロードする必要があることを示すのと、ユーザ機器により送信されるデータ量を示すのとに用いられ、処理モジュールはさらに、スケジューリング情報に基づいて、ユーザ機器用の帯域幅をスケジューリングし、データ量で示されるデータパケットと１対１の対応関係を有するシグネチャシーケンスを、利用可能なシグネチャシーケンスから選択するように構成され、送信モジュールは、スケジューリング確認応答メッセージをユーザ機器に返信するように構成され、スケジューリング確認応答メッセージは、少なくとも２つのシグネチャシーケンスを示すのに用いられる。
【００３５】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００３６】
本願の第５の態様によれば、ユーザ機器が提供され、ユーザ機器は、少なくとも２つの送信対象データパケットに対して多元接続を実行するのに用いられる少なくとも２つのシグネチャシーケンスを取得し、少なくとも２つのデータパケットを、対応するシグネチャシーケンスをそれぞれ用いて処理し、少なくとも２つの伝送シーケンスを取得するように構成されたプロセッサと、少なくとも２つの伝送シーケンスを同じ時間−周波数リソースでネットワークデバイスに送信するように構成された送信機とを含む。
【００３７】
一実施例では、プロセッサは具体的に、データパケットと１対１の対応関係を有するシグネチャシーケンスを、利用可能なシグネチャシーケンスから選択するように構成される。
【００３８】
別の実施例では、送信機はさらに、パイロットをネットワークデバイスに送信するように構成され、パイロットに関する情報が、少なくとも２つのデータパケットに対して多元接続を実行するためにユーザ機器により用いられる少なくとも２つのシグネチャシーケンスを示すのに用いられる。
【００３９】
任意選択的に、送信機はさらに、少なくとも２つのシグネチャシーケンスを示すのに用いられる制御情報を、制御チャネルを介してネットワークデバイスに送信するように構成される。
【００４０】
任意選択的に、ユーザ機器はさらに受信機を含み、送信機は具体的に、スケジューリング情報をネットワークデバイスに送信するように構成され、スケジューリング情報は、ユーザ機器がデータをアップロードする必要があることを示すのと、ユーザ機器により送信されるデータ量を示すのとに用いられ、受信機は、ネットワークデバイスにより返信されるスケジューリング確認応答メッセージを受信するように構成され、プロセッサは、スケジューリング確認応答メッセージに基づいて、少なくとも２つのシグネチャシーケンスを決定するように構成される。
【００４１】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００４２】
前述のユーザ機器の解決手段では、ユーザ機器はさらにメモリを含んでよく、メモリに格納された実行命令を実行するように構成されたプロセッサが少なくとも１つあることによって、ユーザ機器は、通信インタフェースを介してネットワークデバイスとデータをやり取りし、第１の態様又は第１の態様の様々な実施例において提供されたデータ伝送方法を実行する。
【００４３】
本願の第６の態様によれば、ネットワークデバイスが提供され、本デバイスは、ユーザ機器により送信される少なくとも２つの伝送シーケンスを受信するように構成された受信機と、少なくとも２つの伝送シーケンスを送信するためにユーザ機器により用いられる少なくとも２つのシグネチャシーケンスを取得し、各シグネチャシーケンスに基づいて、対応する伝送シーケンスを別々に検出し、少なくとも２つのデータパケットを取得するように構成されたプロセッサとを含む。
【００４４】
一実施例では、受信機はさらに、ユーザ機器により送信されるパイロットを受信するように構成され、プロセッサはさらに、パイロットに基づいて、少なくとも２つのシグネチャシーケンスを取得するように構成され、パイロットに関する情報が、少なくとも２つの伝送シーケンスを送信するためにユーザ機器により用いられる少なくとも２つのシグネチャシーケンスを示すのに用いられる。
【００４５】
別の実施例では、受信機はさらに、制御チャネルを介してユーザ機器により送信され、且つ少なくとも２つのシグネチャシーケンスを示すのに用いられる制御情報を受信するように構成され、プロセッサはさらに、制御情報に基づいて少なくとも２つのシグネチャシーケンスを取得するように構成される。
【００４６】
任意選択的に、ネットワークデバイスはさらに送信機を含み、受信機はさらに、ユーザ機器により送信されるスケジューリング情報を受信するように構成され、スケジューリング情報は、ユーザ機器がデータをアップロードする必要があることを示すのと、ユーザ機器により送信されるデータ量を示すのとに用いられ、プロセッサはさらに、スケジューリング情報に基づいて、ユーザ機器用の帯域幅をスケジューリングし、データ量で示されるデータパケットと１対１の対応関係を有するシグネチャシーケンスを、利用可能なシグネチャシーケンスから選択するように構成され、送信機は、スケジューリング確認応答メッセージをユーザ機器に返信するように構成され、スケジューリング確認応答メッセージは、少なくとも２つのシグネチャシーケンスを示すのに用いられる。
【００４７】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【００４８】
前述のネットワークデバイスはさらにメモリを含んでよく、メモリに格納された実行命令を実行するように構成されたプロセッサが少なくとも１つあることによって、ネットワークデバイスは、通信インタフェースを介してユーザ機器とデータをやり取りし、第２の態様又は第２の態様の様々な実施例において提供されたデータ伝送方法を実行する。
【００４９】
本願の第７の態様によれば、記憶媒体が提供され、本記憶媒体は、可読記憶媒体及び実行可能命令（コンピュータプログラムとも呼ばれる）を含み、ユーザ機器の少なくとも１つのプロセッサが実行可能命令を実行すると、ユーザ機器は、第１の態様又は第１の態様の様々な実施例において提供されたデータ伝送方法を実行する。
【００５０】
本願の第８の態様によれば、記憶媒体が提供され、本記憶媒体は、可読記憶媒体及び実行可能命令を含み、ネットワークデバイスの少なくとも１つのプロセッサが実行可能命令を実行すると、ネットワークデバイスは、第２の態様又は第２の態様の様々な実施例において提供されたデータ伝送方法を実行する。
【００５１】
本願の第９の態様によれば、プログラム製品が提供され、プログラム製品は実行可能命令を含み、実行可能命令は可読記憶媒体に格納される。ユーザ機器の少なくとも１つのプロセッサが、可読記憶媒体から実行可能命令を読み出してよく、少なくとも１つのプロセッサが実行可能命令を実行することによって、ユーザ機器は、第１の態様又は第１の態様の様々な実施例において提供されたデータ伝送方法を実行する。
【００５２】
本願の第１０の態様によれば、プログラム製品が提供され、プログラム製品は実行可能命令を含み、実行可能命令は可読記憶媒体に格納される。ネットワークデバイスの少なくとも１つのプロセッサが、可読記憶媒体から実行可能命令を読み出してよく、少なくとも１つのプロセッサが実行可能命令を実行することによって、ネットワークデバイスは、第２の態様又は第２の態様の様々な実施例において提供されたデータ伝送方法を実行する。
【００５３】
本願において提供されるデータ伝送方法及びデータ伝送装置によれば、ユーザ機器は、少なくとも２つの送信対象データパケットに対して多元接続を実行するのに用いられる少なくとも２つのシグネチャシーケンスを取得し、次いで、少なくとも２つのデータパケットを、対応するシグネチャシーケンスをそれぞれ用いて処理し、少なくとも２つの伝送シーケンスを取得し、次いで、少なくとも２つの伝送シーケンスを同じ時間−周波数リソースでネットワークデバイスに送信する。ユーザ機器により送信される少なくとも２つの伝送シーケンスを受信した後に、ネットワークデバイスは、少なくとも２つの伝送シーケンスを送信するためにユーザ機器により用いられる少なくとも２つのシグネチャシーケンスを取得し、各シグネチャシーケンスに基づいて、対応する伝送シーケンスを別々に検出し、少なくとも２つのデータパケットを取得する。ユーザ機器は、同じスロットの同じ時間−周波数リソースで複数のデータパケットを伝送することができるので、時間−周波数リソースの利用率を向上させ、パケットキューイング時間を短縮し、データ伝送効率を向上させることができる。
【図面の簡単な説明】
【００５４】
【図１】本願によるデータ伝送方法のシステムアーキテクチャの概略図である。
【００５５】
【図２】本願によるデータ伝送方法の実施形態１の概略フローチャートである。
【００５６】
【図３】本願によるデータ伝送方法の一例における伝送の概略図である。
【００５７】
【図４】本願によるデータ伝送方法の別の例における伝送の概略図である。
【００５８】
【図５】本願によるデータ伝送方法のさらに別の例における伝送の概略図である。
【００５９】
【図６】本願によるデータ伝送方法のさらに別の例における伝送の概略図である。
【００６０】
【図７】本願によるデータ伝送装置の実施形態１の概略構造図である。
【００６１】
【図８】本願によるデータ伝送装置の実施形態２の概略構造図である。
【００６２】
【図９】本願によるユーザ機器の実施形態の概略構造図である。
【００６３】
【図１０】本願によるネットワークデバイスの実施形態の概略構造図である。
【発明を実施するための形態】
【００６４】
本願における技術的解決手段は、５Ｇシステムなどのセルラ方式の通信システムに適用され得る。図１は、本願によるデータ伝送方法のシステムアーキテクチャの概略図である。図１に示すように、システムアーキテクチャには、ネットワークデバイス（例えば、図に示される基地局）と、携帯電話又は通信タブレットなどのユーザ機器とが含まれる。前述のアーキテクチャでは、ネットワークデバイスは、基地局、又はネットワーク側で基地局機能を提供できる別のデバイスであり、ユーザ機器に通信サービスを提供する。具体的には、デバイス間（Ｄｅｖｉｃｅ−ｔｏ−Ｄｅｖｉｃｅ、Ｄ２Ｄ）通信では、ネットワークデバイスはさらに、基地局機能を担う端末であってよい。さらに、基地局は、無線アクセスネットワーク（Ｒａｄｉｏ  Ａｃｃｅｓｓ  Ｎｅｔｗｏｒｋ、ＲＡＮ）デバイスとも呼ばれ、端末を無線ネットワークに接続するデバイスである。あるいは、前述のアーキテクチャの基地局は、移動通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ（登録商標））若しくは符号分割多元接続（Ｃｏｄｅ  Ｄｉｖｉｓｉｏｎ  Ｍｕｌｔｉｐｌｅ  Ａｃｃｅｓｓ、ＣＤＭＡ）のベーストランシーバ基地局（Ｂａｓｅ  Ｔｒａｎｓｃｅｉｖｅｒ  Ｓｔａｔｉｏｎ、ＢＴＳ）であってもよく、又は広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））のＮｏｄｅＢ（ＮｏｄｅＢ，  ＮＢ）であってもよく、又はロングタームエボリューション（Ｌｏｎｇ  Ｔｅｒｍ  Ｅｖｏｌｕｔｉｏｎ、ＬＴＥ）の発展型ＮｏｄｅＢ（Ｅｖｏｌｖｅｄ  Ｎｏｄｅ  Ｂ、ｅＮＢ、又はｅＮｏｄｅＢ）、中継局若しくはアクセスポイント、若しくは５Ｇネットワークの基地局などであってもよい。このことは、本明細書において限定されるものではない。
【００６５】
本願において提供されるデータ伝送方法は、前述のアーキテクチャに基づいており、アップリンク非直交多元接続システムにおける同じスロットの同じ時間−周波数リソースでＵＥが複数のデータパケットを同時送信するのをサポートすることができるので、時間−周波数リソースの利用率が向上し、パケットキューイング時間が短縮され、再伝送の潜在的最大数量が増加し、その結果、将来のより高速なデータ交換の要件に適応することができる。
【００６６】
図２は、本願によるデータ伝送方法の実施形態１の概略フローチャートである。図２に示すように、図１に示すアーキテクチャの概略図に基づいて、ネットワークデバイスとユーザ機器との間でデータ伝送を行う方法は具体的に、以下に挙げる段階を含む。
【００６７】
Ｓ１０１：ユーザ機器は、少なくとも２つの送信対象データパケットに対して多元接続を実行するのに用いられる少なくとも２つのシグネチャシーケンスを取得する。
【００６８】
この段階では、ユーザ機器はアップリンクデータをネットワークデバイスに送信する必要があり、例えば、複数のデータパケットをネットワークデバイスに送信する必要がある。チャネル符号化が、複数のデータパケットに対して別々に行われ得る。複数のデータパケットは、複数のデータパケットと同じ数量の複数の異なるトランスポートブロック（Ｔｒａｎｓｐｏｒｔ  Ｂｌｏｃｋ、ＴＢ）であってもよく、同じＴＢの異なるセグメントであってもよい。この場合、多元接続に用いられる複数のシグネチャシーケンスが、対応するデータパケットをそれぞれ処理するのに必要である。したがって、ユーザデバイスは、少なくとも２つのシグネチャシーケンスをまず取得する必要がある。この解決手段では、シグネチャシーケンスが、データパケットにより用いられるデータ層をある時間−周波数リソースで区別するのに用いられる。シグネチャシーケンスは、疎符号多元接続（Ｓｐａｒｓｅ  Ｃｏｄｅ  Ｍｕｌｔｉｐｌｅ  Ａｃｃｅｓｓ，  ＳＣＭＡ）及び偏波面分割多元接続（Ｐｏｌａｒｉｚａｔｉｏｎ  Ｄｉｖｉｓｉｏｎ  Ｍｕｌｔｉｐｌｅ  Ａｃｃｅｓｓ、ＰＤＭＡ）のコードブックであっても、マルチユーザ共有アクセス（Ｍｕｌｔｉ−Ｕｓｅｒ  Ｓｈａｒｅｄ  Ａｃｃｅｓｓ、ＭＵＳＡ）に基づく拡散シーケンスであってもよい。
【００６９】
シグネチャシーケンスの取得については、少なくとも以下に挙げるいくつかの具体的な方式がある。
【００７０】
第１の方式では、ユーザ機器は、データパケットと１対１の対応関係を有するシグネチャシーケンスを、利用可能なシグネチャシーケンスから選択する。言い換えれば、ユーザ機器は、前述の必要とされる複数のシグネチャシーケンスを選択して取得する。
【００７１】
任意選択的に、シグネチャシーケンスを取得する第１の方式では、ユーザ機器が複数のシグネチャシーケンスを取得するので、ネットワークデバイス側は、ユーザ機器により用いられる特定のシグネチャシーケンスを認識していない。したがって、ＵＥは、用いられる複数のシグネチャシーケンスをネットワークデバイスに通知する必要がある。ＵＥは、パイロットをネットワークデバイスに送信してよく、パイロットに関する情報が、複数のデータパケットに対して多元接続を実行するためにユーザ機器により用いられる複数のシグネチャシーケンスを示してよい。本明細書におけるパイロットに関する情報は、オフセット又はインデックスなどであってよく、その結果、ネットワークデバイスは、パイロットに関する情報に基づいて、ユーザ機器により用いられるシグネチャシーケンスを直接決定し得る。
【００７２】
ユーザ機器は代替的に、複数のシグネチャシーケンスを示すのに用いられる制御情報を、制御チャネルを介してネットワークデバイスに送信してよく、その結果、ネットワークデバイスは、制御情報に基づいて、ユーザ機器により用いられるシグネチャシーケンスを決定する。
【００７３】
第２の方式では、ユーザ機器はスケジューリング情報をネットワークデバイスに送信し、スケジューリング情報は、ユーザ機器がデータをアップロードする必要があることを示すのと、ユーザ機器により送信されるデータ量を示すのとに用いられる。例えば、データスケジューリング要求又はバッファステータス報告などが、インジケーションとして用いられてよい。ネットワークデバイスは、ユーザ機器により送信されるスケジューリング情報を受信し、ユーザ機器のスケジューリング情報に基づいてスケジューリング処理を実行して、ユーザ機器用の帯域幅をスケジューリングし、ユーザ機器によりアップロードされる複数のデータパケットと１対１の対応関係を有するシグネチャシーケンスを、利用可能なシグネチャシーケンスから選択し、スケジューリング確認応答メッセージをユーザ機器に返信する。スケジューリング確認応答メッセージは、少なくとも２つのシグネチャシーケンスを示すのに用いられる。ユーザ機器は、ネットワークデバイスにより返信されるスケジューリング確認応答メッセージを受信し、スケジューリング確認応答メッセージに基づいて、少なくとも２つのシグネチャシーケンスを決定する。
【００７４】
Ｓ１０２：ユーザ機器は、少なくとも２つのデータパケットを、対応するシグネチャシーケンスをそれぞれ用いて処理し、少なくとも２つの伝送シーケンスを取得する。
【００７５】
この段階では、ユーザ機器は、異なるトランスポートブロックを別々に符号化して、複数のデータパケットを取得し、次いで、対応するシグネチャシーケンスを用いて多元接続処理を実行して、変調シンボル、すなわち、複数の伝送シーケンスを複数のデータ層で取得する。
【００７６】
Ｓ１０３：ユーザ機器は、少なくとも２つの伝送シーケンスを同じ時間−周波数リソースでネットワークデバイスに送信する。
【００７７】
この段階では、ユーザ機器は、複数の伝送シーケンスを同じ時間−周波数リソースで、すなわち、同じ時間領域及び同じ周波数領域のリソースで伝送する。したがって、ネットワークデバイスは、ユーザ機器により送信される複数の伝送シーケンスを、同じ時間−周波数リソースで検出して受信することができる。
【００７８】
Ｓ１０４：ネットワークデバイスは、ユーザ機器により用いられる少なくとも２つのシグネチャシーケンスを取得して、少なくとも２つの伝送シーケンスを送信する。
【００７９】
この段階では、受信状態検出を実行してデータパケットを取得するために、ネットワークデバイスは、データパケットを送信するのにユーザ機器により用いられる複数のシグネチャシーケンスを認識する必要がある。具体的な取得方式は、以下の通りであってよい。
【００８０】
第１の方式では、ネットワークデバイスは、ユーザ機器により送信されるパイロットを受信し、パイロットに基づいて少なくとも２つのシグネチャシーケンスを取得する。パイロットに関する情報が、少なくとも２つの伝送シーケンスを送信するためにユーザ機器により用いられる少なくとも２つのシグネチャシーケンスを示すのに用いられる。
【００８１】
第２の方式では、ネットワークデバイスは、ユーザ機器により制御チャネルを介して送信され、且つ少なくとも２つのシグネチャシーケンスを示すのに用いられる制御情報を受信し、制御情報に基づいて少なくとも２つのシグネチャシーケンスを取得する。
【００８２】
第３の方式では、複数の伝送シーケンスを受信する前に、ネットワークデバイスは、ユーザ機器により送信されるスケジューリング情報を受信する。スケジューリング情報は、ユーザ機器がデータをアップロードする必要があることを示すのと、ユーザ機器により送信されるデータ量を示すのとに用いられる。ネットワークデバイスは、スケジューリング情報に基づいて、ユーザ機器用の帯域幅をスケジューリングし、データ量で示されるデータパケットと１対１の対応関係を有するシグネチャシーケンスを、利用可能なシグネチャシーケンスから選択し、選択した複数のシグネチャシーケンスを、スケジューリング確認応答メッセージを用いてユーザ機器に返信する。
【００８３】
Ｓ１０５：ネットワークデバイスは、各シグネチャシーケンスに基づいて、対応する伝送シーケンスを別々に検出し、少なくとも２つのデータパケットを取得する。
【００８４】
この段階では、ネットワークデバイスは、取得した複数のシグネチャシーケンスに基づいて、受信した複数の伝送シーケンスに対して受信状態検出を実行し、ユーザ機器により送信される複数のデータパケットを取得する。
【００８５】
前述の解決手段では、ユーザ機器により送信される複数のデータパケットの場合、ユーザ機器により同じ時間−周波数リソースで送信される複数のデータパケットは、全てのデータパケットのうち最初に伝送されるパケットであってもよく、又はいくつかのデータパケットのうち最初に伝送されるパケット及び他のデータパケットのうち再伝送されるパケットであってもよく、又は全てがこれらのデータパケットのうち再伝送されるパケットであってもよく、各データパケットの再伝送数量が互いに異なってもよい。このことは、本願において限定されるものではない。
【００８６】
例えば、２つのデータパケットがある。複数のデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。複数の再伝送パケットがある場合、各データパケットの再伝送数量が互い異なってもよい。
【００８７】
この実施形態において提供されるデータ伝送方法によれば、ユーザ機器は、少なくとも２つの送信対象データパケットに対して多元接続を実行するのに用いられる少なくとも２つのシグネチャシーケンスを取得し、次いで、少なくとも２つのデータパケットを、対応するシグネチャシーケンスをそれぞれ用いて処理し、少なくとも２つの伝送シーケンスを取得し、次いで、少なくとも２つの伝送シーケンスを同じ時間−周波数リソースでネットワークデバイスに送信する。ユーザ機器により送信される少なくとも２つの伝送シーケンスを受信した後に、ネットワークデバイスは、少なくとも２つの伝送シーケンスを送信するためにユーザ機器により用いられる少なくとも２つのシグネチャシーケンスを取得し、各シグネチャシーケンスに基づいて、対応する伝送シーケンスを別々に検出し、少なくとも２つのデータパケットを取得する。ユーザ機器は、同じスロットの同じ時間−周波数リソースで複数のデータパケットを伝送することができるので、時間−周波数リソースの利用率を向上させ、パケットキューイング時間を短縮し、データ伝送効率を向上させることができる。
【００８８】
前述の実施形態に基づいて、以下では、一例として基地局を用いることにより、同じ時間−周波数リソースでデータパケットを同時に伝送するいくつかの代表的な手順、及び実現可能な標準的な実施の形態などを挙げ、本願において提供されるデータ伝送方法を説明する。
【００８９】
図３は、本願によるデータ伝送方法の一例における伝送の概略図である。図３に示すように、この解決手段では、アップリンクグラントフリーＳＣＭＡ非直交伝送システム（又は別の形態の非直交伝送方式）において、ユーザ機器（Ｕｓｅｒ  Ｅｑｕｉｐｍｅｎｔ、ＵＥ）が、ある時点で最初に伝送される２つのデータパケットを有するものと仮定する。２つのデータパケットは、異なるＴＢに対して別々にチャネル符号化を行うことで取得され、それぞれＣＢ１（０）及びＣＢ２（０）と表される。上付き数字の０は、２つのデータパケットが両方とも最初に伝送されるパケットであることを表している。ＵＥは、今回伝送されるデータパケットの数量に基づいて、対応する伝送モードを選択する。この伝送モードは、シグネチャシーケンスセット｛ｓ１，ｓ２｝に対応し、ＣＢ１（０）及びＣＢ２（０）に対してＳＣＭＡ多元接続処理を実行して、２つのデータ層で伝送シーケンスを取得し、これらの伝送シーケンスを同じ時間−周波数リソースで基地局に同期して伝送するのに用いられる。
【００９０】
伝送モードのコンセプトが、前述の処理に取り入れられている。異なる伝送モードが、異なるシグネチャシーケンスセットに対応する。したがって、複数のシグネチャシーケンスが示される場合、伝送モードが直接示されてよく、その結果、対応するシグネチャシーケンスセットが決定されて、複数の必要とされるシグネチャシーケンスを取得し得る。ＵＥは、パイロットｐを用いて、選択された伝送モードを基地局（Ｂａｓｅ  Ｓｔａｔｉｏｎ、ＢＳ）に通知してよい。パイロットに関する情報と伝送モードとの間の対応関係が、事前にＢＳ及びＵＥにより合意される。ＢＳは、パイロットｐに関する検出された情報に基づいて、且つｐに関する情報と伝送モードとの間の合意された対応関係に基づいて、ＵＥが２つのパケットを（シグネチャシーケンスｓ１及びｓ２をそれぞれ用いて）２つのデータ層で伝送し、対応する受信状態検出を実行することを認識する。
【００９１】
任意選択的に、ＵＥは代替的に、パイロットと伝送モード（シグネチャシーケンス又はシグネチャシーケンスセット）との間のマッピング関係を確立する代わりに、制御情報を用いて、選択された伝送モードを基地局に通知してもよい。
【００９２】
図４は、本願によるデータ伝送方法の別の例における伝送の概略図である。図４に示すように、この解決手段では、アップリンクグラントフリーＳＣＭＡ非直交伝送システムにおいて、ＵＥが、ある時点で３つの伝送対象パケットを有するものと仮定する。３つのデータパケットは、異なるＴＢに対して別々にチャネル符号化を行うことで取得され、それぞれＣＢ１（０）、ＣＢ２（１）、及びＣＢ３（２）と表される。ＣＢ１（０）はデータパケット１の最初に伝送されるパケットであり、ＣＢ２（１）はデータパケット２の初めて再伝送されるパケットであり、ＣＢ３（２）はデータパケット３の２回目に再伝送されるパケットである。ＵＥは、今回伝送されるデータパケットの数量に基づいて、対応する伝送モードを同様に選択してよい。この伝送モードは、シグネチャシーケンスセット｛ｓ１，ｓ２，ｓ３｝に対応し、ＣＢ１（０）、ＣＢ２（１）、及びＣＢ３（２）に対してＳＣＭＡ多元接続処理を実行して、３つのデータ層で伝送シーケンスを取得し、これらの伝送シーケンスを同じ時間−周波数リソースで同期して伝送するのに用いられる。
【００９３】
ＵＥは、パイロットｐを用いて、選択された伝送モードをＢＳに通知してよく、パイロットと伝送モードとの間の対応関係が、事前にＢＳ及びＵＥにより合意される。基地局は、パイロットｐに関する検出された情報に基づいて、且つｐに関する情報と伝送モードとの間の合意された対応関係に基づいて、ＵＥが３つのパケットを（シグネチャシーケンスｓ１、ｓ２、及びｓ３をそれぞれ用いて）３つのデータ層で伝送し、対応する受信状態検出を実行することを認識する。
【００９４】
ＵＥは代替的に、パイロットと伝送モード（シグネチャシーケンス又はシグネチャシーケンスセット）との間のマッピング関係を確立する代わりに、制御情報を用いて、選択された伝送モードを基地局に通知してもよい。
【００９５】
任意選択的に、この解決手段の別の具体的な実施例では、アップリンクグラントベース伝送（ｇｒａｎｔ−ｂａｓｅｄ）ＳＣＭＡシステムにおいて、ＵＥが、ある時点で２つの伝送対象データパケットを有するものと仮定する。２つのデータパケットは、それぞれＣＢ１（１）及びＣＢ２（２）と表され、それぞれ、パケット１の初めて再伝送されるパケット、及びパケット２の２回目に再伝送されるパケットである。ＵＥは、スケジューリング要求（Ｓｃｈｅｄｕｌｉｎｇ  Ｒｅｑｕｅｓｔ、ＳＲ）を用いて、伝送対象アップリンクデータがあることを示し、バッファステータス報告（Ｂｕｆｆｅｒ  Ｓｔａｔｕｓ  Ｒｅｐｏｒｔ、ＢＳＲ）を用いて、今回伝送されるデータ量を基地局に通知する。基地局は、ＵＥのために必要な帯域幅をＢＳＲに基づいてスケジューリングし、伝送モードをＵＥに通知する。ＵＥは、スケジューリングされた帯域幅の伝送モードに従って、ＣＢ１（１）及びＣＢ２（２）に対して２つの対応するシグネチャシーケンス（ｓ１及びｓ２）をそれぞれ用いて多元接続処理を実行し、データパケットを２つのデータ層で同期して送信する。
【００９６】
ＢＳはすでに、アップリンク伝送でユーザ機器により用いられる伝送モードを認識しており、これらのデータ層で伝送されるデータパケットに対して受信状態検出を直接実行してよい。
【００９７】
図５は、本願によるデータ伝送方法のさらに別の例における伝送の概略図である。図５に示すように、アップリンクグラントフリーＳＣＭＡ非直交伝送システムにおいて、ＵＥが、ある時点で最初に伝送される２つのデータパケットを有するものと仮定する。２つのデータパケットは、同じＴＢを分割して、別々にチャネル符号化を行うことで取得され、それぞれＣＢ１（０）及びＣＢ２（０）と表される。上付き数字の０は、２つのパケットが両方とも最初に伝送されるパケットであることを表している。ＵＥは、今回伝送されるデータパケットの数量に基づいて、対応する伝送モードを選択する。この伝送モードは、シグネチャシーケンスセット｛ｓ１，ｓ２｝に対応し、ＣＢ１（０）及びＣＢ２（０）に対してＳＣＭＡ多元接続処理を実行して、２つのデータ層で伝送シーケンスを取得し、これらの伝送シーケンスを同じ時間−周波数リソースで同期して伝送するのに用いられる。
【００９８】
前述の解決手段と同様に、この例では、ＵＥは、パイロットｐを用いて、選択された伝送モードをＢＳに通知してよく、パイロットと伝送モードとの間の対応関係が、事前にＢＳ及びＵＥにより合意される。ＢＳは、検出されたパイロットｐに基づいて、且つｐと伝送モードとの間の合意された対応関係に基づいて、ＵＥが２つのデータパケットを（シグネチャシーケンスｓ１及びｓ２をそれぞれ用いて）２つのデータ層で伝送し、対応する受信状態検出を実行することを認識する。
【００９９】
ＵＥは代替的に、パイロットと伝送モード（シグネチャシーケンス又はシグネチャシーケンスセット）との間のマッピング関係を確立する代わりに、制御情報を用いて、選択された伝送モードを基地局に通知してもよい。
【０１００】
前述の実施形態から分かることは、この解決手段の具体的な実施例において、ＣＢ１及びＣＢ２は、１つのＴＢのセグメントであってもよく、又は異なるＴＢであってもよいということである。このことは、この解決手段において限定されるものではない。
【０１０１】
図６は、本願によるデータ伝送方法のさらに別の例における伝送の概略図である。図６に示すように、この解決手段では、アップリンクグラントフリーＭＵＳＡ非直交伝送システムにおいて、ＵＥが、ある時点で２つの伝送対象データパケットを有するものと仮定する。データパケットは、異なるＴＢに対して別々にチャネル符号化を行うことで取得され、ＣＢ１（１）及びＣＢ２（２）と表され、それぞれ、データパケット１の初めて再伝送されるパケット、及びデータパケット２の２回目に再伝送されるパケットである。ＵＥは、今回伝送されるパケットの数量に基づいて、対応する伝送モードを選択する。この伝送モードは、ＭＵＳＡシグネチャシーケンスセット｛ｓ１，ｓ２｝に対応し、ＣＢ１（１）及びＣＢ２（２）に対してＭＵＳＡ多元接続処理を実行して、２つのデータ層で伝送シーケンスを取得し、これらの伝送シーケンスを同じ時間−周波数リソースで同期して伝送するのに用いられる。
【０１０２】
同様に、ＵＥは、パイロットｐを用いて、選択された伝送モードをＢＳに通知してよく、パイロットに関する情報と伝送モードとの間の対応関係が、事前にＢＳ及びＵＥにより合意される。ＢＳは、検出されたパイロットｐに基づいて、且つｐに関する情報と伝送モードとの間の合意された対応関係に基づいて、ＵＥが２つのパケットを（シグネチャシーケンスｓ１及びｓ２をそれぞれ用いて）２つのデータ層で伝送し、対応する受信状態検出を実行することを認識する。ＵＥは代替的に、パイロットと伝送モード（シグネチャシーケンス又はシグネチャシーケンスセット）との間のマッピング関係を確立する代わりに、制御情報を用いて、選択された伝送モードを基地局に通知してもよい。
【０１０３】
前述の解決手段に加えて、本願はさらに、別のデータ伝送による解決手段を提供する。アップリンクグラントフリーＳＣＭＡ非直交伝送システムにおいて、ＵＥが、ある時点で最初に伝送される２つのデータパケットを有するものと仮定する。２つのデータパケットは、異なるＴＢに対して別々にチャネル符号化を行うことで取得され、それぞれＣＢ１（０）及びＣＢ２（０）と表される。２つのデータパケットは両方とも、最初に伝送されるデータパケットである。ＵＥは、今回伝送されるパケットの数量に基づいて、対応する伝送モードを選択する。この伝送モードは、シグネチャシーケンスセット
【数１】
0006835234.tif 000002
に対応し、ＣＢ１（０）及びＣＢ２（０）に対してＳＣＭＡ多元接続処理を実行し、２つのデータ層で伝送シーケンスを取得し、これらの伝送シーケンスを同じ時間−周波数リソースで同期して伝送するのに用いられる。
【数２】
0006835234.tif 000003
は、元のシグネチャシーケンスｓ１及びｓ２が処理された後に取得された結果である。処理プロセスは、位相回転及び電力割り当てなどの方式を含む。
【０１０４】
ＵＥは、パイロットｐを用いて、選択された伝送モードをＢＳに通知してよい。パイロットと伝送モードとの間の対応関係が、事前にＢＳ及びＵＥにより合意される。ＢＳは、検出されたパイロットｐに基づいて、且つｐと伝送モードとの間の合意された対応関係に基づいて、ＵＥが２つのパケットを（シグネチャシーケンス
【数３】
0006835234.tif 000004
をそれぞれ用いて）２つのデータ層で伝送し、対応する受信状態検出を実行することを認識する。ＵＥは代替的に、パイロットと伝送モード（シグネチャシーケンス又はシグネチャシーケンスセット）との間のマッピング関係を確立する代わりに、制御情報を用いて、選択された伝送モードを基地局に通知してもよい。
【０１０５】
同様に、この実施例では、ＣＢ１及びＣＢ２は、１つのＴＢのセグメントであってもよく、又は異なるＴＢであってもよい。このことは、この解決手段において限定されるものではない。
【０１０６】
前述の実施例のうちのいずれか１つにおいて提供されたデータ伝送方法によれば、アップリンク非直交多元接続システムでは、ＵＥは、複数のデータパケットに対して別々にチャネル符号化を行い、異なるシグネチャシーケンスをそれぞれ用いて、符号化されたデータパケットに対して多元接続処理を実行して伝送シーケンスを取得し、同じスロットの同じ時間−周波数リソースで伝送シーケンスを基地局に同時に送信することによって、時間−周波数リソースの利用率を効果的に向上させ、パケットキューイング時間を短縮し、再伝送の潜在的最大数量を増加させ、伝送効率及び信頼性を向上させる。
【０１０７】
図７は、本願によるデータ伝送装置の実施形態１の概略構造図である。図７に示すように、データ伝送装置１０は、少なくとも２つの送信対象データパケットに対して多元接続を実行するのに用いられる少なくとも２つのシグネチャシーケンスを取得するように構成された処理モジュール１１であって、処理モジュール１１はさらに、少なくとも２つのデータパケットを、対応するシグネチャシーケンスをそれぞれ用いて処理し、少なくとも２つの伝送シーケンスを取得するように構成される、処理モジュール１１と、少なくとも２つの伝送シーケンスを同じ時間−周波数リソースでネットワークデバイスに送信するように構成された送信モジュール１２とを含む。
【０１０８】
データ伝送装置１０の一実施例では、処理モジュール１１は具体的に、データパケットと１対１の対応関係を有するシグネチャシーケンスを、利用可能なシグネチャシーケンスから選択するように構成される。
【０１０９】
任意選択的に、送信モジュール１２はさらに、パイロットをネットワークデバイスに送信するように構成され、パイロットに関する情報が、少なくとも２つのデータパケットに対して多元接続を実行するためにデータ伝送装置１０により用いられる少なくとも２つのシグネチャシーケンスを示すのに用いられる。
【０１１０】
任意選択的に、送信モジュール１２はさらに、少なくとも２つのシグネチャシーケンスを示すのに用いられる制御情報を、制御チャネルを介してネットワークデバイスに送信するように構成される。
【０１１１】
データ伝送装置１０の別の実施例では、データ伝送装置１０はさらに受信モジュール１３を含み、送信モジュール１２は具体的に、スケジューリング情報をネットワークデバイスに送信するように構成され、スケジューリング情報は、データ伝送装置１０がデータをアップロードする必要があることを示すのと、データ伝送装置１０により送信されるデータ量を示すのとに用いられ、受信モジュール１３は、ネットワークデバイスにより返信されるスケジューリング確認応答メッセージを受信するように構成され、処理モジュール１１は、スケジューリング確認応答メッセージに基づいて、少なくとも２つのシグネチャシーケンスを決定するように構成される。
【０１１２】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【０１１３】
図７の前述の実施例のうちのいずれか１つにおいて提供されるデータ伝送装置は、前述の方法の実施形態のうちのいずれか１つにおける、ユーザ機器側での技術的解決手段を実行するように構成され、同様の実施原理及び技術的効果を有する。詳細は、ここで再度説明しない。
【０１１４】
図８は、本願によるデータ伝送装置の実施形態２の概略構造図である。図８に示すように、データ伝送装置２０は、ユーザ機器により送信される少なくとも２つの伝送シーケンスを受信するように構成された受信モジュール２１と、少なくとも２つの伝送シーケンスを送信するためにユーザ機器により用いられる少なくとも２つのシグネチャシーケンスを取得するように構成された処理モジュール２２とを含む。
【０１１５】
処理モジュール２２はさらに、各シグネチャシーケンスに基づいて、対応する伝送シーケンスを別々に検出し、少なくとも２つのデータパケットを取得するように構成される。
【０１１６】
データ伝送装置２０の一実施例では、受信モジュール２１はさらに、ユーザ機器により送信されるパイロットを受信するように構成され、処理モジュール２２はさらに、パイロットに基づいて、少なくとも２つのシグネチャシーケンスを取得するように構成され、パイロットに関する情報が、少なくとも２つの伝送シーケンスを送信するためにユーザ機器により用いられる少なくとも２つのシグネチャシーケンスを示すのに用いられる。
【０１１７】
任意選択的に、受信モジュール２１はさらに、制御チャネルを介してユーザ機器により送信され、且つ少なくとも２つのシグネチャシーケンスを示すのに用いられる制御情報を受信するように構成され、処理モジュール２２はさらに、制御情報に基づいて少なくとも２つのシグネチャシーケンスを取得するように構成される。
【０１１８】
データ伝送装置２０の別の実施例では、データ伝送装置２０はさらに送信モジュール２３を含み、受信モジュール２１はさらに、ユーザ機器により送信されるスケジューリング情報を受信するように構成され、スケジューリング情報は、ユーザ機器がデータをアップロードする必要があることを示すのと、ユーザ機器により送信されるデータ量を示すのとに用いられ、処理モジュール２２はさらに、スケジューリング情報に基づいて、ユーザ機器用の帯域幅をスケジューリングし、データ量で示されるデータパケットと１対１の対応関係を有するシグネチャシーケンスを、利用可能なシグネチャシーケンスから選択するように構成され、送信モジュール２３は、スケジューリング確認応答メッセージをユーザ機器に返信するように構成され、スケジューリング確認応答メッセージは、少なくとも２つのシグネチャシーケンスを示すのに用いられる。
【０１１９】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【０１２０】
図８の前述の実施例のうちのいずれか１つにおいて提供されるデータ伝送装置は、前述の方法の実施形態のうちのいずれか１つにおける、ネットワークデバイス側での技術的解決手段を実行するように構成され、同様の実施原理及び技術的効果を有する。詳細は、ここで再度説明しない。
【０１２１】
図９は、本願によるユーザ機器の実施形態の概略構造図である。図９に示すように、ユーザ機器３０は、少なくとも２つの送信対象データパケットに対して多元接続を実行するのに用いられる少なくとも２つのシグネチャシーケンスを取得し、少なくとも２つのデータパケットを、対応するシグネチャシーケンスをそれぞれ用いて処理し、少なくとも２つの伝送シーケンスを取得するように構成されたプロセッサ３１と、少なくとも２つの伝送シーケンスを同じ時間−周波数リソースでネットワークデバイスに送信するように構成された送信機３２とを含む。
【０１２２】
一実施例では、プロセッサ３１は具体的に、データパケットと１対１の対応関係を有するシグネチャシーケンスを、利用可能なシグネチャシーケンスから選択するように構成される。
【０１２３】
別の実施例では、送信機３２はさらに、パイロットをネットワークデバイスに送信するように構成され、パイロットに関する情報が、少なくとも２つのデータパケットに対して多元接続を実行するためにユーザ機器により用いられる少なくとも２つのシグネチャシーケンスを示すのに用いられる。
【０１２４】
任意選択的に、送信機３２はさらに、少なくとも２つのシグネチャシーケンスを示すのに用いられる制御情報を、制御チャネルを介してネットワークデバイスに送信するように構成される。
【０１２５】
任意選択的に、ユーザ機器はさらに受信機３３を含み、送信機３２は具体的に、スケジューリング情報をネットワークデバイスに送信するように構成され、スケジューリング情報は、ユーザ機器がデータをアップロードする必要があることを示すのと、ユーザ機器により送信されるデータ量を示すのとに用いられ、受信機３３は、ネットワークデバイスにより返信されるスケジューリング確認応答メッセージを受信するように構成され、プロセッサ３１は、スケジューリング確認応答メッセージに基づいて、少なくとも２つのシグネチャシーケンスを決定するように構成される。
【０１２６】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【０１２７】
前述のユーザ機器の解決手段では、ユーザ機器はさらにメモリを含んでよく、メモリに格納された実行命令を実行するように構成されたプロセッサが少なくとも１つあることによって、ユーザ機器は、通信インタフェースを介してネットワークデバイスとデータをやり取りし、前述の実施形態又は前述の実施形態の様々な実施例において提供されたデータ伝送方法を実行する。
【０１２８】
図１０は、本願によるネットワークデバイスの実施形態の概略構造図である。図１０に示すように、ネットワークデバイス４０は、ユーザ機器により送信される少なくとも２つの伝送シーケンスを受信するように構成された受信機４１と、少なくとも２つの伝送シーケンスを送信するためにユーザ機器により用いられる少なくとも２つのシグネチャシーケンスを取得し、各シグネチャシーケンスに基づいて、対応する伝送シーケンスを別々に検出し、少なくとも２つのデータパケットを取得するように構成されたプロセッサ４２とを含む。
【０１２９】
一実施例では、受信機４１はさらに、ユーザ機器により送信されるパイロットを受信するように構成され、プロセッサ４２はさらに、パイロットに基づいて、少なくとも２つのシグネチャシーケンスを取得するように構成され、パイロットに関する情報が、少なくとも２つの伝送シーケンスを送信するためにユーザ機器により用いられる少なくとも２つのシグネチャシーケンスを示すのに用いられる。
【０１３０】
別の実施例では、受信機４１はさらに、制御チャネルを介してユーザ機器により送信され、且つ少なくとも２つのシグネチャシーケンスを示すのに用いられる制御情報を受信するように構成され、プロセッサ４２はさらに、制御情報に基づいて少なくとも２つのシグネチャシーケンスを取得するように構成される。
【０１３１】
任意選択的に、ネットワークデバイス４０はさらに送信機４３を含み、受信機４１はさらに、ユーザ機器により送信されるスケジューリング情報を受信するように構成され、スケジューリング情報は、ユーザ機器がデータをアップロードする必要があることを示すのと、ユーザ機器により送信されるデータ量を示すのとに用いられ、プロセッサ４２はさらに、スケジューリング情報に基づいて、ユーザ機器用の帯域幅をスケジューリングし、データ量で示されるデータパケットと１対１の対応関係を有するシグネチャシーケンスを、利用可能なシグネチャシーケンスから選択するように構成され、送信機４３は、スケジューリング確認応答メッセージをユーザ機器に返信するように構成され、スケジューリング確認応答メッセージは、少なくとも２つのシグネチャシーケンスを示すのに用いられる。
【０１３２】
任意選択的に、少なくとも２つのデータパケットは、第１のデータパケットの最初に伝送されるパケット及び第２のデータパケットの最初に伝送されるパケット、又は第１のデータパケットの最初に伝送されるパケット及び第２のデータパケットの再伝送されるパケット、又は第１のデータパケットの再伝送されるパケット及び第２のデータパケットの再伝送されるパケットを含む。
【０１３３】
前述のネットワークデバイスはさらにメモリを含んでよく、メモリに格納された実行命令を実行するように構成されたプロセッサが少なくとも１つあることによって、ネットワークデバイスは、通信インタフェースを介してユーザ機器とデータをやり取りし、前述の実施形態又は前述の実施形態の様々な実施例において提供されたデータ伝送方法を実行する。
【０１３４】
本願はさらに、可読記憶媒体及び実行可能命令を含む記憶媒体を提供し、実行可能命令は可読記憶媒体に格納され、ユーザ機器の少なくとも１つのプロセッサが実行可能命令を実行すると、ユーザ機器は、前述の実施例において提供されたデータ伝送方法を実行する。
【０１３５】
本願はさらに、可読記憶媒体及び実行可能命令を含む記憶媒体を提供し、実行可能命令は可読記憶媒体に格納され、ネットワークデバイスの少なくとも１つのプロセッサが実行可能命令を実行すると、ネットワークデバイスは、前述の実施例において提供されたデータ伝送方法を実行する。
【０１３６】
本願はさらにプログラム製品を提供し、プログラム製品は実行可能命令を含み、実行可能命令は可読記憶媒体に格納される。ユーザ機器の少なくとも１つのプロセッサが、可読記憶媒体から実行可能命令を読み出してよく、少なくとも１つのプロセッサが実行可能命令を実行することによって、ユーザ機器は、前述の実施例において提供されたデータ伝送方法を実施する。
【０１３７】
本願はさらにプログラム製品を提供し、プログラム製品は実行可能命令を含み、実行可能命令は可読記憶媒体に格納される。ネットワークデバイスの少なくとも１つのプロセッサが、可読記憶媒体から実行可能命令を読み出してよく、少なくとも１つのプロセッサが実行可能命令を実行することによって、ネットワークデバイスは、前述の実施例において提供されたデータ伝送方法を実施する。
【０１３８】
前述の解決手段における実行可能命令は、コンピュータ命令又はコンピュータプログラムなどとも呼ばれる。このことは、この解決手段において限定されるものではない。
【０１３９】
前述のユーザ機器の実施形態又はネットワークデバイスの実施形態では、プロセッサは、中央演算処理装置（英名：Ｃｅｎｔｒａｌ  Ｐｒｏｃｅｓｓｉｎｇ  Ｕｎｉｔ、略してＣＰＵ）であってもよく、又は別の汎用プロセッサ、デジタル信号プロセッサ（英名：Ｄｉｇｉｔａｌ  Ｓｉｇｎａｌ  Ｐｒｏｃｅｓｓｏｒ、略してＤＳＰ）、若しくは特定用途向け集積回路（英名：Ａｐｐｌｉｃａｔｉｏｎ−Ｓｐｅｃｉｆｉｃ  Ｉｎｔｅｇｒａｔｅｄ  Ｃｉｒｃｕｉｔ、略してＡＳＩＣ）などであってもよいことを理解されたい。汎用プロセッサはマイクロプロセッサであってもよく、又はプロセッサは従来の任意のプロセッサなどであってもよい。本願に関連して開示された方法の各段階は、ハードウェアプロセッサにより直接実行されてもよく、又はプロセッサのハードウェアとソフトウェアモジュールとの組み合わせを用いて実行されてもよい。
【０１４０】
前述の方法の実施形態を実現するための段階の全て又は一部は、関連するハードウェアに命令するプログラムによって実現され得る。プログラムは、可読メモリに格納されてよい。プログラムが実行されると、前述の方法の実施形態の各段階が実行される。メモリ（ｓｔｏｒａｇｅ  ｍｅｄｉｕｍ）は、リードオンリメモリ（英名：ｒｅａｄ−ｏｎｌｙ  ｍｅｍｏｒｙ、略してＲＯＭ）、ＲＡＭ、フラッシュメモリ、ハードディスク、ソリッドステートディスク、磁気テープ（英名：ｍａｇｎｅｔｉｃ  ｔａｐｅ）、フロッピーディスク（英名：ｆｌｏｐｐｙ  ｄｉｓｋ）、光ディスク（英名：ｏｐｔｉｃａｌ  ｄｉｓｃ）、及びこれらの組み合わせを含む。
【０１４１】
最後に、前述の実施形態は、本願の技術的解決手段を限定するのではなく、説明するためだけに用いられることに留意されたい。
（項目１）
データ伝送方法であって、
少なくとも２つの送信対象データパケットに対して多元接続を実行するのに用いられる少なくとも２つのシグネチャシーケンスをユーザ機器が取得する段階と、
上記少なくとも２つのデータパケットを、対応するシグネチャシーケンスをそれぞれ用いて上記ユーザ機器が処理し、少なくとも２つの伝送シーケンスを取得する段階と、
上記少なくとも２つの伝送シーケンスを同じ時間−周波数リソースでネットワークデバイスに上記ユーザ機器が送信する段階と
を備える方法。
（項目２）
少なくとも２つの送信対象データパケットに対して多元接続を実行するのに用いられる少なくとも２つのシグネチャシーケンスをユーザ機器が上記取得する段階は、上記データパケットと１対１の対応関係を有するシグネチャシーケンスを、利用可能なシグネチャシーケンスから上記ユーザ機器が選択する段階を有する、項目１に記載の方法。
（項目３）
上記方法はさらに、
上記ユーザ機器がパイロットを上記ネットワークデバイスに送信する段階を備え、上記パイロットに関する情報が、上記少なくとも２つのデータパケットに対する多元接続を実行するために上記ユーザ機器により用いられる上記少なくとも２つのシグネチャシーケンスを示すのに用いられる、項目２に記載の方法。
（項目４）
上記方法はさらに、
上記少なくとも２つのシグネチャシーケンスを示すのに用いられる制御情報を、上記ユーザ機器が制御チャネルを介して上記ネットワークデバイスに送信する段階を備え、項目２に記載の方法。
（項目５）
少なくとも２つの送信対象データパケットに対して多元接続を実行するのに用いられる少なくとも２つのシグネチャシーケンスをユーザ機器が上記取得する段階は、
上記ユーザ機器がスケジューリング情報を上記ネットワークデバイスに送信する段階であって、上記スケジューリング情報は、上記ユーザ機器がデータをアップロードする必要があることを示すのと、上記ユーザ機器により送信されるデータ量を示すのとに用いられる、段階と、
上記ネットワークデバイスにより返信されるスケジューリング確認応答メッセージを上記ユーザ機器が受信する段階と、
上記スケジューリング確認応答メッセージに基づいて、上記少なくとも２つのシグネチャシーケンスを上記ユーザ機器が決定する段階と
を有する、項目１に記載の方法。
（項目６）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目１から５のいずれか一項に記載の方法。
（項目７）
データ伝送方法であって、
ユーザ機器により送信される少なくとも２つの伝送シーケンスをネットワークデバイスが受信する段階と、
上記少なくとも２つの伝送シーケンスを送信するために上記ユーザ機器により用いられる少なくとも２つのシグネチャシーケンスを上記ネットワークデバイスが取得する段階と、
各シグネチャシーケンスに基づいて、対応する伝送シーケンスを上記ネットワークデバイスが別々に検出し、少なくとも２つのデータパケットを取得する段階と
を備える方法。
（項目８）
上記少なくとも２つの伝送シーケンスを送信するために上記ユーザ機器により用いられる少なくとも２つのシグネチャシーケンスを上記ネットワークデバイスが上記取得する段階は、
上記ユーザ機器により送信されるパイロットを上記ネットワークデバイスが受信し、上記パイロットに基づいて、上記少なくとも２つのシグネチャシーケンスを取得する段階を有し、上記パイロットに関する情報が、上記少なくとも２つの伝送シーケンスを送信するために上記ユーザ機器により用いられる上記少なくとも２つのシグネチャシーケンスを示すのに用いられる、項目７に記載の方法。
（項目９）
上記少なくとも２つの伝送シーケンスを送信するために上記ユーザ機器により用いられる少なくとも２つのシグネチャシーケンスを上記ネットワークデバイスが上記取得する段階は、
制御チャネルを介して上記ユーザ機器により送信され、且つ上記少なくとも２つのシグネチャシーケンスを示すのに用いられる制御情報を上記ネットワークデバイスが受信し、上記制御情報に基づいて上記少なくとも２つのシグネチャシーケンスを取得する段階を有する、項目７に記載の方法。
（項目１０）
ユーザ機器により送信される少なくとも２つの伝送シーケンスをネットワークデバイスが上記受信する段階の前に、上記方法はさらに、
上記ユーザ機器により送信されるスケジューリング情報を上記ネットワークデバイスが受信する段階であって、上記スケジューリング情報は、上記ユーザ機器がデータをアップロードする必要があることを示すのと、上記ユーザ機器により送信されるデータ量を示すのとに用いられる、段階と、
上記スケジューリング情報に基づいて、上記ネットワークデバイスが上記ユーザ機器用の帯域幅をスケジューリングし、上記データ量で示されるデータパケットと１対１の対応関係を有するシグネチャシーケンスを、利用可能なシグネチャシーケンスから選択する段階と、
上記ネットワークデバイスがスケジューリング確認応答メッセージを上記ユーザ機器に返信する段階であって、上記スケジューリング確認応答メッセージは、上記少なくとも２つのシグネチャシーケンスを示すのに用いられる、段階と
を備える、項目７に記載の方法。
（項目１１）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目７から１０のいずれか一項に記載の方法。
（項目１２）
データ伝送装置であって、
少なくとも２つの送信対象データパケットに対して多元接続を実行するのに用いられる少なくとも２つのシグネチャシーケンスを取得するように構成された処理モジュールであって、上記処理モジュールはさらに、上記少なくとも２つのデータパケットを、対応するシグネチャシーケンスをそれぞれ用いて処理し、少なくとも２つの伝送シーケンスを取得するように構成される、処理モジュールと、
上記少なくとも２つの伝送シーケンスを同じ時間−周波数リソースでネットワークデバイスに送信するように構成された送信モジュールと
を備える装置。
（項目１３）
上記処理モジュールは具体的に、上記データパケットと１対１の対応関係を有するシグネチャシーケンスを、利用可能なシグネチャシーケンスから選択するように構成される、項目１２に記載の装置。
（項目１４）
上記送信モジュールはさらに、パイロットを上記ネットワークデバイスに送信するように構成され、上記パイロットに関する情報が、上記少なくとも２つのデータパケットに対して多元接続を実行するために上記ユーザ機器により用いられる上記少なくとも２つのシグネチャシーケンスを示すのに用いられる、項目１３に記載の装置。
（項目１５）
上記送信モジュールはさらに、上記少なくとも２つのシグネチャシーケンスを示すのに用いられる制御情報を、制御チャネルを介して上記ネットワークデバイスに送信するように構成される、項目１２に記載の装置。
（項目１６）
上記装置はさらに受信モジュールを備え、
上記送信モジュールは具体的に、スケジューリング情報を上記ネットワークデバイスに送信するように構成され、上記スケジューリング情報は、上記ユーザ機器がデータをアップロードする必要があることを示すのと、上記ユーザ機器により送信されるデータ量を示すのとに用いられ、
上記受信モジュールは、上記ネットワークデバイスにより返信されるスケジューリング確認応答メッセージを受信するように構成され、
上記処理モジュールは、上記スケジューリング確認応答メッセージに基づいて、上記少なくとも２つのシグネチャシーケンスを決定するように構成される、項目１２に記載の装置。
（項目１７）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目１２から１６のいずれか一項に記載の装置。
（項目１８）
データ伝送装置であって、
ユーザ機器により送信される少なくとも２つの伝送シーケンスを受信するように構成された受信モジュールと、
上記少なくとも２つの伝送シーケンスを送信するために上記ユーザ機器により用いられる少なくとも２つのシグネチャシーケンスを取得するように構成された処理モジュールであって、上記処理モジュールはさらに、各シグネチャシーケンスに基づいて、対応する伝送シーケンスを別々に検出し、少なくとも２つのデータパケットを取得するように構成される、処理モジュールと
を備える装置。
（項目１９）
上記受信モジュールはさらに、上記ユーザ機器により送信されるパイロットを受信するように構成され、
上記処理モジュールはさらに、上記パイロットに基づいて、上記少なくとも２つのシグネチャシーケンスを取得するように構成され、上記パイロットに関する情報が、上記少なくとも２つの伝送シーケンスを送信するために上記ユーザ機器により用いられる上記少なくとも２つのシグネチャシーケンスを示すのに用いられる、項目１８に記載の装置。
（項目２０）
上記受信モジュールはさらに、制御チャネルを介して上記ユーザ機器により送信され、且つ上記少なくとも２つのシグネチャシーケンスを示すのに用いられる制御情報を受信するように構成され、
上記処理モジュールはさらに、上記制御情報に基づいて上記少なくとも２つのシグネチャシーケンスを取得するように構成される、項目１８に記載の装置。
（項目２１）
上記装置はさらに送信モジュールを備え、
上記受信モジュールはさらに、上記ユーザ機器により送信されるスケジューリング情報を受信するように構成され、上記スケジューリング情報は、上記ユーザ機器がデータをアップロードする必要があることを示すのと、上記ユーザ機器により送信されるデータ量を示すのとに用いられ、
上記処理モジュールはさらに、上記スケジューリング情報に基づいて、上記ユーザ機器用の帯域幅をスケジューリングし、上記データ量で示されるデータパケットと１対１の対応関係を有するシグネチャシーケンスを、利用可能なシグネチャシーケンスから選択するように構成され、
上記送信モジュールは、スケジューリング確認応答メッセージを上記ユーザ機器に返信するように構成され、上記スケジューリング確認応答メッセージは、上記少なくとも２つのシグネチャシーケンスを示すのに用いられる、項目１８に記載の装置。
（項目２２）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目１８から２１のいずれか一項に記載の装置。
（項目２３）
少なくとも２つの送信対象データパケットに対して多元接続を実行するのに用いられる少なくとも２つのシグネチャシーケンスを取得し、上記少なくとも２つのデータパケットを、対応するシグネチャシーケンスをそれぞれ用いて処理し、少なくとも２つの伝送シーケンスを取得するように構成されたプロセッサと、
上記少なくとも２つの伝送シーケンスを同じ時間−周波数リソースでネットワークデバイスに送信するように構成された送信機と
を備えるユーザ機器。
（項目２４）
上記プロセッサは具体的に、上記データパケットと１対１の対応関係を有するシグネチャシーケンスを、利用可能なシグネチャシーケンスから選択するように構成される、項目２３に記載のユーザ機器。
（項目２５）
上記送信機はさらに、パイロットを上記ネットワークデバイスに送信するように構成され、上記パイロットに関する情報が、上記少なくとも２つのデータパケットに対して多元接続を実行するために上記ユーザ機器により用いられる上記少なくとも２つのシグネチャシーケンスを示すのに用いられる、項目２４に記載のユーザ機器。
（項目２６）
上記送信機はさらに、上記少なくとも２つのシグネチャシーケンスを示すのに用いられる制御情報を、制御チャネルを介して上記ネットワークデバイスに送信するように構成される、項目２４に記載のユーザ機器。
（項目２７）
上記ユーザ機器はさらに受信機を備え、
上記送信機は具体的に、スケジューリング情報を上記ネットワークデバイスに送信するように構成され、上記スケジューリング情報は、上記ユーザ機器がデータをアップロードする必要があることを示すのと、上記ユーザ機器により送信されるデータ量を示すのとに用いられ、
上記受信機は、上記ネットワークデバイスにより返信されるスケジューリング確認応答メッセージを受信するように構成され、
上記プロセッサは、上記スケジューリング確認応答メッセージに基づいて、上記少なくとも２つのシグネチャシーケンスを決定するように構成される、項目２３に記載のユーザ機器。
（項目２８）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目２３から２７のいずれか一項に記載のユーザ機器。
（項目２９）
上記ユーザ機器はさらに、上記プロセッサにより実行される実行命令を格納するように構成されたメモリを備える、項目２３から２７のいずれか一項に記載のユーザ機器。
（項目３０）
ユーザ機器により送信される少なくとも２つの伝送シーケンスを受信するように構成された受信機と、
上記少なくとも２つの伝送シーケンスを送信するために上記ユーザ機器により用いられる少なくとも２つのシグネチャシーケンスを取得し、各シグネチャシーケンスに基づいて、対応する伝送シーケンスを別々に検出し、少なくとも２つのデータパケットを取得するように構成されたプロセッサと
を備えるネットワークデバイス。
（項目３１）
上記受信機はさらに、上記ユーザ機器により送信されるパイロットを受信するように構成され、
上記プロセッサはさらに、上記パイロットに基づいて、上記少なくとも２つのシグネチャシーケンスを取得するように構成され、上記パイロットに関する情報が、上記少なくとも２つの伝送シーケンスを送信するために上記ユーザ機器により用いられる上記少なくとも２つのシグネチャシーケンスを示すのに用いられる、項目３０に記載のネットワークデバイス。
（項目３２）
上記受信機はさらに、制御チャネルを介して上記ユーザ機器により送信され、且つ上記少なくとも２つのシグネチャシーケンスを示すのに用いられる制御情報を受信するように構成され、
上記プロセッサはさらに、上記制御情報に基づいて上記少なくとも２つのシグネチャシーケンスを取得するように構成される、項目３０に記載のネットワークデバイス。
（項目３３）
上記ネットワークデバイスはさらに送信機を備え、
上記受信機はさらに、上記ユーザ機器により送信されるスケジューリング情報を受信するように構成され、上記スケジューリング情報は、上記ユーザ機器がデータをアップロードする必要があることを示すのと、上記ユーザ機器により送信されるデータ量を示すのとに用いられ、
上記プロセッサはさらに、上記スケジューリング情報に基づいて、上記ユーザ機器用の帯域幅をスケジューリングし、上記データ量で示されるデータパケットと１対１の対応関係を有するシグネチャシーケンスを、利用可能なシグネチャシーケンスから選択するように構成され、
上記送信機は、スケジューリング確認応答メッセージを上記ユーザ機器に返信するように構成され、上記スケジューリング確認応答メッセージは、上記少なくとも２つのシグネチャシーケンスを示すのに用いられる、項目３０に記載のネットワークデバイス。
（項目３４）
上記少なくとも２つのデータパケットは、
第１のデータパケットの最初に伝送されるパケット及び第２のデータパケットの最初に伝送されるパケット、又は、
第１のデータパケットの最初に伝送されるパケット及び第２のデータパケットの再伝送されるパケット、又は、
第１のデータパケットの再伝送されるパケット及び第２のデータパケットの再伝送されるパケット
を含む、項目３０から３３のいずれか一項に記載のネットワークデバイス。
（項目３５）
上記ネットワークデバイスはさらに、上記プロセッサにより実行される実行命令を格納するように構成されたメモリを備える、項目３０から３４のいずれか一項に記載のネットワークデバイス。
（項目３６）
可読記憶媒体と実行可能命令とを備える記憶媒体であって、上記実行可能命令は、項目１から６のいずれか一項に記載のデータ伝送方法を実施するのに用いられる、記憶媒体。
（項目３７）
可読記憶媒体と実行可能命令とを備える記憶媒体であって、上記実行可能命令は、項目７から１１のいずれか一項に記載のデータ伝送方法を実施するのに用いられる、記憶媒体。
（項目３８）
プログラム製品であって、上記プログラム製品は実行命令を含み、上記実行命令は、項目１から６のいずれか一項に記載の方法を実行するためにユーザ機器により用いられる、プログラム製品。
（項目３９）
プログラム製品であって、上記プログラム製品は実行命令を含み、上記実行命令は、項目７から１１のいずれか一項に記載の方法を実行するためにネットワークデバイスにより用いられる、プログラム製品。
【図１】
0006835234.tif 000005
【図２】
0006835234.tif 000006
【図３】
0006835234.tif 000007
【図４】
0006835234.tif 000008
【図５】
0006835234.tif 000009
【図６】
0006835234.tif 000010
【図７】
0006835234.tif 000011
【図８】
0006835234.tif 000012
【図９】
0006835234.tif 000013
【図１０】
0006835234.tif 000014